【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】インクジェットヘッド及び画像形成装置
【手続補正２】
【補正対象書類名】明細書
【補正対象項目名】特許請求の範囲
【補正方法】変更
【補正の内容】
【特許請求の範囲】
【請求項１】
インク滴を吐出するノズル孔と、このノズル孔が連通するインク流路と、このインク流路の壁面を形成する振動板と、この振動板に対向する電極とを備え、前記振動板と電極との間の静電力で振動板を変位させて前記ノズル孔からインク滴を吐出するインクジェットヘッドにおいて、前記振動板に対向する電極は、長手方向の一方側又は両側から前記振動板に対して連続的に傾斜する傾斜領域と、この傾斜領域に連続して前記振動板に対して平行な底部領域とを有することを特徴とするインクジェットヘッド。
【請求項２】
インク滴を吐出するノズル孔と、このノズル孔が連通するインク流路と、このインク流路の壁面を形成する振動板と、この振動板に対向する電極とを備え、前記振動板と電極との間の静電力で振動板を変位させて前記ノズル孔からインク滴を吐出するインクジェットヘッドにおいて、前記振動板に対向する電極は、短手方向の両側から前記振動板に対して連続的に傾斜する傾斜領域と、この傾斜領域に連続して前記振動板に対して平行な底部領域とを有することを特徴とするインクジェットヘッド。
【請求項３】
インク滴を吐出するノズル孔と、このノズル孔が連通するインク流路と、このインク流路の壁面を形成する振動板と、この振動板に対向する電極とを備え、前記振動板と電極との間の静電力で振動板を変位させて前記ノズル孔からインク滴を吐出するインクジェットヘッドにおいて、前記振動板に対向する電極は、長手方向及び短手方向の各両側から前記振動板に対して連続的に傾斜する傾斜領域と、この傾斜領域に連続して前記振動板に対して平行な底部領域とを有することを特徴とするインクジェットヘッド。
【請求項４】
請求項１又は３に記載のインクジェットヘッドにおいて、前記インク流路に対応する振動板の長さをＬ、前記電極の底部領域の長さをｌとしたとき、ｌ／Ｌが０．１以上の関係にあり、且つ、前記振動板と前記電極の底部領域との間隔をＨとしたとき、２Ｈ／（Ｌ−ｌ）が１／１０を越えないことを特徴とするインクジェットヘッド。
【請求項５】
請求項２又は３に記載のインクジェットヘッドにおいて、前記インク流路に対応する振動板の幅をＷ、前記電極の底部領域の幅をｗとしたとき、ｗ／Ｗが０．１以上の関係にあり、前記振動板と前記電極の底部領域との間隔をＨとしたとき、２Ｈ／（Ｗ−ｗ）が１／１０を越えないことを特徴とするインクジェットヘッド。
【請求項６】
請求項１乃至５のいずれかに記載のインクジェットヘッドにおいて、前記電極の傾斜領域は少なくとも始点が絶縁層を介して前記振動板と接触していることを特徴とするインクジェットヘッド。
【請求項７】
請求項６に記載のインクジェットヘッドにおいて、前記電極は長手方向及び短手方向の各両側から形成された傾斜領域のすべての始点が前記振動板と接触していることを特徴とするインクジェットヘッド。
【請求項８】
請求項６に記載のインクジェットヘッドにおいて、前記電極は長手方向及び短手方向の各両側から形成された傾斜領域のうちの長手方向の傾斜領域の始点が前記振動板と接触し、短手方向の傾斜領域の始点は前記振動板との間に間隔を設けたことを特徴とするインクジェットヘッド。
【請求項９】
請求項６に記載のインクジェットヘッドにおいて、前記電極は長手方向及び短手方向の各両側から形成された傾斜領域のうちの短手方向の傾斜領域の始点が前記振動板と接触し、長手方向の傾斜領域の始点は前記振動板との間に間隔を設けたことを特徴とするインクジェットヘッド。
【請求項１０】
請求項６乃至９のいずれかに記載のインクジェットヘッドにおいて、前記電極は傾斜領域の始点に連続する上部領域を有し、この上部領域が前記振動板又は振動板を一体形成した部材と絶縁層を介して接触していることを特徴とするインクジェットヘッド。
【請求項１１】
請求項１乃至１０のいずれかに記載のインクジェットヘッドにおいて、前記電極が金属材料又はニューセラミックスの導電材料からなり、表面に絶縁保護膜を形成して、この絶縁保護膜の膜厚を５０〜５０００Åの範囲内にしたことを特徴とするインクジェットヘッド。
【請求項１２】
請求項１ないし１１のいずれかに記載のインクジェットヘッドを搭載していることを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェットヘッド及び画像形成装置に関し、特に静電型インクジェットヘッド及び画像形成装置に関する。
【手続補正４】
【補正対象書類名】明細書
【補正対象項目名】００１５
【補正方法】変更
【補正の内容】
【００１５】
よって、本発明は所望のインク滴体積及びインク滴吐出速度が得られて、且つ効率的な低電圧駆動が可能なインクジェットヘッド及びこのインクジェットヘッドを備える画像形成装置を提供することを目的とする。
【手続補正５】
【補正対象書類名】明細書
【補正対象項目名】００２２
【補正方法】変更
【補正の内容】
【００２２】
さらにまた、電極は傾斜領域の始点に連続する上部領域を形成して、この上部領域も振動板又は振動板を一体形成した部材と接触しているものとすることができる。また、電極は金属材料又はニューセラミックスの導電材料で形成し、電極表面に絶縁保護膜を形成して、この絶縁保護膜の膜厚を５０〜５０００Åの範囲内にすることが好ましい。
本発明に係る画像形成装置は、本発明に係るいずれかのインクジェットヘッドを搭載したものである。
【手続補正６】
【補正対象書類名】明細書
【補正対象項目名】００７０
【補正方法】変更
【補正の内容】
【００７０】
また、振動板／液室基板中に形成したノズル孔、加圧室、流体抵抗部、共通インク室の形状、配置、形成方法は本発明の趣旨を越えない範囲で適切に変更することができる。例えば、上記実施形態においては、ノズル孔は振動板の変位方向にインク滴が吐出するように形成したサイドシュータ方式のインクジェットヘッドに適用しているが、ノズル孔を振動板の変位方向と交差する方向にインク滴が吐出するように形成したエッジシュータ方式のインクジェットヘッドにも同様に適用することができる。また、上述したインクジェットヘッドは、前述したように、プリンタ、ファクシミリ、複写装置、プロッタ等の画像記録装置（画像形成装置）に搭載することができる。
【手続補正７】
【補正対象書類名】明細書
【補正対象項目名】００７７
【補正方法】変更
【補正の内容】
【００７７】
さらにまた、電極は傾斜領域の始点に連続する上部領域を形成して、この上部領域も振動板又は振動板を一体形成した部材と接触しているものとすることで、傾斜始点と振動板との接触及び位置決めが容易になる。また、電極は金属材料又はニューセラミックスの導電材料で形成し、電極表面に絶縁保護膜を形成して、この絶縁保護膜の膜厚を５０〜５０００Åの範囲内にすることで、電極に傾斜領域を設けて振動板を当接させながら駆動することができる。
そして、本発明に係る画像形成装置は、本発明に係るいずれかのインクジェットヘッドを搭載するので、ヘッドを低電圧で効率的に駆動することが可能な画像形成装置が得られる。